(57)【特許請求の範囲】
【請求項１】
前板と左右一対の側板とが左右一対の折線によりコ字に折り曲げ可能に連結されるパーテーション本体と、
前記パーテンション本体を机に固定するための左右一対の固定ひもと
を備え、
前記パーテーション本体は、下端に沿って左右一対の前孔と前記前孔より後方に設けられる左右一対の後孔とを備え、
前記後孔は、前記側板の下端部の後側の隅部に設けられており、
前記一対の固定ひもは、輪状のゴムひもからなり、前孔と後孔に挿通されて、机の両端部に引き掛けるよう構成されている三面パーテーション。
【請求項２】
前記前板、前記一対の側板は、下端部に降り畳んだ際に重なり合う貫通孔をそれぞれ有する請求項１に記載の三面パーテーション。
【請求項３】
前記前板、前記一対の側板は、上縁から内側に折れ曲がる帯状の庇部を有する請求項１、又は請求項２に記載の三面パーテーション。
【請求項４】
前記一対の側板は、後縁に沿って内側に折り曲がる帯状の鍔部を有する請求項１から請求項３のいずれか１項に記載の三面パーテーション。
【発明の詳細な説明】
【技術分野】
【０００１】
この発明は、机に載置するパーテーションに関し、特に前方と左右の三方を塞ぐ三面パーテーションに関する。
【背景技術】
【０００２】
現在、コロナウイルスの感染防止のために、学校の教室や会社のオフィス等において、机ごとのパーテーションの設置が望まれている。机に設置するパーテーションとしては、前方と左右を塞ぐ三面パーテーションが従来から広く利用されている（例えば、特許文献１参照）。
【０００３】
特許文献１のパーテーションは、各基板の底面を斜状に形成して、前方に倒れにくいようにし、基板の底面にゴムの滑り止めを設けて、パーテーションが滑らないようにしている。
【先行技術文献】
【非特許文献】
【０００４】
【非特許文献１】特許第６２０９７５０号公報
【発明の概要】
【発明が解決しようとする課題】
【０００５】
しかし、特許文献１のパーテーションは、例えば学習机を移動させる際の揺れに対しては耐えきれず、倒れてしまうという問題がある。
本発明は、かかる課題に鑑みてなされたものであり、机を移動させる際の揺れによっても倒れたり落ちたりしない三面パーテーションの提供を目的とする。
【課題を解決するための手段】
【０００６】
上記課題を解決するためになされた発明は、前板と左右一対の側板とが左右一対の折線によりコ字に折り曲げ可能に連結されるパーテーション本体と、前記パーテンション本体を机に固定するための左右一対の固定ひもとを備え、前記パーテーション本体は、下端に沿って左右一対の前孔と前記前孔より後方に設けられる左右一対の後孔とを備え、前記後孔は、前記側板の下端部の後側の隅部に設けられており、前記一対の固定ひもは、輪状のゴムひもからなり、前孔と後孔に挿通されて机の両端部に引き掛けるよう構成されている三面パーテーションである。
【０００７】
本発明の三面パーテーションは、このように、固定ひもで机に固定することができるので、机を移動させる際の振動であっても、倒れたり落下したりすることを抑制できる。
【０００８】
前記前板、前記一対の側板は、下端部に降り畳んだ際に重なり合う貫通孔をそれぞれ有する好ましい。
こうすることで、折り畳んだ三面パーテンションを、当該貫通孔により学習机の横にあるフックに掛けることができる。
【０００９】
前記前板、前記一対の側板は、上縁から内側に折れ曲がる帯状の庇部を有することが好ましい。
本発明者は、このようにパーテーション本体の下縁でなく重力を受ける上端に庇部を設けた方がよりパーテーション本体が安定することを見出した。
また、このように内側へ向けて庇を設けることで、各板の上縁を回ってパーテーション本体の内側から外方へ空気が逃げることを抑制できる。
【００１０】
前記一対の側板は、後縁に沿って内側に折り曲がる帯状の鍔部を有することが好ましい。こうすることで、側板が強度的に安定するとともに、パーテーション本体の内側の空気が側板の後縁を回って外側へ逃げることを抑制できる。
【発明の効果】
【００１１】
以上説明したように、本発明の三面パーテーションによれば、机を移動する際のような大きな振動が加わった場合にも、倒れたり、机から落下したりすることを抑制できる。
【図面の簡単な説明】
【００１２】
【図１】本発明の一の実施形態に係る三面パーテーションに使用状態を示す斜視図である。
【図２】図１に示したパーテーション本体を折りたたむ様子を示す斜視図である。
【図３】図１に示したパーテーション本体の斜視図である。
【図４】図３のパーテーション本体の（ａ）平面図、（ｂ）正面図、（ｃ）底面図、（ｄ）右側面図であり、左側面図は右側面図と対称に表れる。
【発明を実施するための形態】
【００１３】
以下、適宜図面を用いながら本発明の実施形態について詳述する。ただし、本発明は、以下の実施形態に限定されるものではない。
【００１４】
図１は、本発明の一の実施形態に係る三面パーテーション１００を示している。三面パーテーション１００は、学校の教室で使われる学習机Ａやオフィスで使われる事務机等（不図示）の上板が長方形の机にて、椅子Ｂ側を除く３方を塞ぐよう載置し、当該机の使用者と周囲の着席者との飛沫感染を防止するために用いられる。三面パーテーション１００は、パーテーション本体１と、固定ひも２とを主に備えている。
【００１５】
パーテーション本体１は、ＰＥＴ等の透明樹脂により形成され、前方を遮蔽する前板３と、側方を遮蔽する一対の側板４，４と、前記前板の左右の両端縁をなす一対の折線５，５とを備え、一対の折線５，５によりコ字に折り曲げられて机上に載置される。
【００１６】
前記パーテーション本体１は、下端に沿って左右一対の前孔６，６と、コ字に折り曲げた際に前孔６，６より後方に位置する左右一対の後孔７，７とを備えている。詳細には、前孔６，６は前板３の下端部の左右の隅に設けられ、後孔７，７は、側板４，４の下端部の後ろ側の隅に設けられている。
尚、パーテーション本体１の各部の寸法比は、図示の例に限られず、机の大きさや使用者の身長等を鑑みて適宜に変更できる。
【００１７】
一対の固定ひも２，２は、例えば、輪状のゴムひもからなり、それぞれ前孔６と後孔７に挿通されて机の両端部に引き掛けるよう構成されている。
【００１８】
前板３、及び左右の側板４，４は、それぞれ幅方向中央の下端近傍に矩形の貫通孔８を有している。三面パーテーション１００は、図２に示すように、折り畳むと３つの貫通孔８，８，８が一致するよう設けられているので、図１に示すように、机Ａのフックに掛けて吊るすことができる。
【００１９】
また、前板３、側板４，４は上縁から内側へ折れ曲がる庇部９，１０，１０を備え、側板４，４は後縁に、鍔部１１，１１を備えている。これにより、パーテーション本体１が強度的に安定するとともに、パーテーション本体の内側の空気が外側へ流出することを抑制できる。
【００２０】
以上、本発明に係る三面パーテーションは、上記の実施形態に限らず、例えば、固定ひもはゴムひもでなくともよい。前孔は、側板の前方下部の隅部に設けてもよい。フックに係止するための貫通孔や、庇部、鍔部は備えなくともよい。
【符号の説明】
【００２１】
１００  三面パーテーション
１  パーテーション本体
２  固定ひも
３  前板
４  側板
５  折線
６  前孔
７  後孔
８  貫通孔
９，１０  庇部
１１  鍔部
Ａ  机
【図１】
0006925064.tif 000002
【図２】
0006925064.tif 000003
【図３】
0006925064.tif 000004
【図４】
0006925064.tif 000005